(57)【要約】【課題】コンパクト化を阻害することなく、防水性および熱伝導性を確保できるＬＥＤ照明器具を提供する。【解決手段】照射方向前方にレンズ３２を有するＬＥＤ光源３５１が実装される基板３５は、取付台３４に取り付けられ、取付台３４は、パッキン３３を介してベース３１に取り付けられる。ここで、パッキン３３には、取付台を内包するように周縁を立ち上げて、レンズ３２の底面に密着する側壁３３２を設けたので、ＬＥＤ照明器具１０の内部に浸入しようとする水分が側壁３３２により阻止される。また、パッキン３３は熱伝導性を有するので、コンパクト化を阻害することなく、防水性と同時に熱伝導性が確保される。【選択図】図３
2013143282.tif 000002
【特許請求の範囲】
【請求項１】
照射方向前方に光学部材を有するＬＥＤ光源と、
前記ＬＥＤ光源を実装する基板と、
前記基板を取り付ける取付台と、
前記取付台の照射方向反対面に取り付けられる熱伝導性を有するパッキンと、
前記取付台が前記パッキンを介して取り付けられるベースと、を有し、
前記取付台の外側において前記パッキンの周縁を立ち上げて、前記光学部材の底面に密着する側壁を設けたＬＥＤ照明器具。
【請求項２】
請求項１に記載のＬＥＤ照明器具において、
前記光学部材の底面に照射方向反対側に突出する凸部を設け、
前記側壁に、前記凸部が嵌合する嵌合部を設けたＬＥＤ照明器具。
【発明の詳細な説明】
【技術分野】
【０００１】
本発明は、ＬＥＤ光源を有し、放熱性および防水性を有するＬＥＤ照明器具に関するものである。
【背景技術】
【０００２】
従来より、例えば、天井等に埋め込まれて使用されるダウンライト等にＬＥＤを光源として用いたＬＥＤ照明器具が知られている（例えば、特許文献１参照）。
図４に示すように、特許文献１に記載されているようなＬＥＤ照明器具１００では、円筒形状の器具本体１０１の照射方向前方（図４において下方）には、円錐台形状の反射板１０２が一体的に設けられている。反射板１０２の内部における器具本体１０１の照射方向前面には、ＬＥＤを光源として有するＬＥＤユニット１０３が取り付けられている。また、反射板１０２の外周面には、複数個（例えば、３個）の取付ばね１０４が外側へ突出して設けられており、ＬＥＤ照明器具１００を埋込孔に固定する。
【０００３】
また、図５（Ａ）に示すように、ＬＥＤユニット１０３では、ＬＥＤ光源１０５が取付台１０６に取り付けられており、取付台１０６は熱伝導シート１０７を介してベース１０８に取り付けられる。ＬＥＤ光源１０５の照射方向前方には、ＬＥＤ光源１０５から発せられた光を拡散するレンズ１０９が設けられている。
また、レンズ１０９と取付台１０６との境界に沿ってパッキン１１０が設けられており、レンズ１０９の内部に水が入らないように防水性を確保している。
【先行技術文献】
【特許文献】
【０００４】
【特許文献１】特開２００９−１９９９５９号公報（第４図）
【発明の概要】
【発明が解決しようとする課題】
【０００５】
ところで、近年、前述したようなＬＥＤ照明器具において、光源であるＬＥＤの高出力化が促進され、ＬＥＤが発する熱が大きくなって種々の問題を引き起こすようになってきた。このため、ＬＥＤが発した熱を効率よく放出することが望まれている。
また、例えば建物の軒先等の屋外に埋め込まれた場合、これらの埋込穴から器具本体の内部に水滴や塵埃等が侵入することがあり、防水性も要求される。
しかしながら、防水性を確保するためにパッキンを設けると、熱伝導が遮断されて、熱伝導効率が悪くなるという問題があった。また、パッキンを別に設置すると、ＬＥＤ照明器具のコンパクト化を阻害するとともに、熱伝導シートとパッキンとの間に隙間が生じ、防水性および熱伝導性が低下するおそれがあるという問題があった。
【０００６】
本発明は、従来の問題を解決するためになされたもので、コンパクト化を阻害することなく、防水性および熱伝導性を確保できるＬＥＤ照明器具を提供することを目的とする。
【課題を解決するための手段】
【０００７】
本発明のＬＥＤ照明器具は、照射方向前方に光学部材を有するＬＥＤ光源と、前記ＬＥＤ光源を実装する基板と、前記基板を取り付ける取付台と、前記取付台の照射方向反対面に取り付けられる熱伝導性を有するパッキンと、前記取付台が前記パッキンを介して取り付けられるベースと、を有し、前記取付台の外側において前記パッキンの周縁を立ち上げて、前記光学部材の底面に密着する側壁を設けたものである。
【０００８】
また、本発明のＬＥＤ照明器具は、前記光学部材の底面に照射方向反対側に突出する凸部を設け、前記側壁に、前記凸部が嵌合する嵌合部を設けたものである。
【発明の効果】
【０００９】
本発明は、パッキンに、取付台を内包するように周縁を立ち上げて光学部材の底面に密着する側壁を設けたので、ＬＥＤ照明器具の内部に浸入しようとする水分が側壁により止水される。また、パッキンは熱伝導性を有するので、コンパクト化を阻害することなく、防水性と同時に熱伝導性が確保されるという効果を有するＬＥＤ照明器具を提供できる。
【図面の簡単な説明】
【００１０】
【図１】（Ａ）は本発明に係る実施形態のＬＥＤ照明器具を下方から見た斜視図であり、（Ｂ）は中心軸に沿った断面図
【図２】ＬＥＤユニットを下方から見た分解斜視図
【図３】（Ａ）はＬＥＤユニットの中心軸に沿った断面図であり、（Ｂ）は（Ａ）中Ｂ部分の拡大図
【図４】（Ａ）は従来のダウンライトを下方から見た斜視図であり、（Ｂ）は中心軸に沿った断面図
【図５】（Ａ）は従来のＬＥＤユニットの中心軸に沿った断面図であり、（Ｂ）は（Ａ）中Ｂ部分の拡大図
【発明を実施するための形態】
【００１１】
以下、本発明に係る実施形態のＬＥＤ照明器具について、図面を用いて説明する。
図１に示すように、本発明に係る実施形態のＬＥＤ照明器具１０は、被取付部である例えば天井１１に設けられた埋込孔１２に埋め込んで、主に下方を照明するダウンライトとして用いることができる。
なお、以下の説明において、下方を照明する場合、すなわち、照射方向を下方とした場合について説明する。
【００１２】
ＬＥＤ照明器具１０は、円筒形状の器具本体２０を有しており、器具本体２０の下面にＬＥＤユニット３０を有する。また、器具本体２０の下側（照射方向側）には、ＬＥＤユニット３０から発せられた照射光を所望の方向へ反射して照射する反射板２１が一体的に設けられている。
【００１３】
反射板２１は、下方に向かって拡径して開口する略円錐台形状を呈しており、下端部には、ＬＥＤ照明器具１０を取り付けた際に、天井１１の下面に当接して露出する鍔部２２を有する。反射板２１の下端部には、外周面に沿って所定間隔で複数個（ここでは、例えば３個）の支持部２３が設けられている。支持部２３には、取付ばね２４が外側に向かって拡がって取り付けられている。取付ばね２４は、拡がるように下方へ付勢されており、鍔部２２の上面と取付ばね２４との間に天井１１を挟むことにより、ＬＥＤ照明器具１０を埋込孔１２に固定する。
【００１４】
図２および図３（Ａ）に示すように、ＬＥＤユニット３０は、器具本体２０の下面に取り付けられる円板状のベース３１を有する。ベース３１は、熱伝導性が良好な例えばアルミにより形成されており、下面中央部には、円形の凹部３１１を有する。また、ベース３１の上面中央には、位置決め用のピン３１２が上方に向かって突設されている。
なお、ベース３１の周縁部には、後述する光学部材としてのレンズ３２を取り付けるための貫通孔３１３（ここでは、４個のうちの３個を図示）およびＬＥＤユニット３０を器具本体２０に取り付けるための貫通孔３１５（ここでは、２個）が設けられている。
【００１５】
図３（Ｂ）にも示すように、ベース３１の下側には、パッキン３３を介して、取付台３４が取り付けられる。パッキン３３は熱伝導性を有しており、例えば、シリコン・エラストマー・樹脂で形成することができる。パッキン３３は、従来の熱伝導シートと同様の熱伝導性を有する円板部３３１を有しており、円板部３３１の外周縁は止水の作用を有する側壁３３２が下方に突出して設けられている。また、側壁３３２の下面には、嵌合部として凹部３３３が設けられている。なお、パッキン３３は、側壁３３２がベース３１の凹部３１１に嵌まる大きさを有する。
【００１６】
図２および図３（Ａ）に示すように、取付台３４は、パッキン３３の側壁３３２の内側に嵌まる円板形状をしており（図３（Ｂ）参照）、例えば、アルミで形成されて熱伝導性を有する。取付台３４の下面には、ＬＥＤ（ＬＥＤ光源）３５１を実装した基板３５が取り付けられる。基板３５は、例えば矩形状をしており、対角位置に一対の取付用の切欠き３５２が設けられている。
従って、基板３５は、ねじ３５３を切欠き３５２に通して、取付台３４に設けられているねじ孔３４１に締結して取り付けられる。
【００１７】
レンズ３２は、上面（底面）がベース３１の下面外周部に当接するリング状の支持部３２１と、支持部３２１の内側縁から下方に立ち上がる壁部３２２と、壁部３２２の下端に設けられる円板状のレンズ本体３２３を有する。
図３（Ｂ）に示すように、支持部３２１の上面には、上方（照射方向反対側）に突出する凸部３２６が、全周にわたって円形に設けられている。この凸部３２６は、パッキン３３の凹部３３３に嵌入可能となっている。
なお、図２に示すように、支持部３２１には、レンズ３２の中心に対して対称位置に、取付用の切欠き３２４が設けられている。
【００１８】
従って、ＬＥＤユニット３０を組み立てる際には、ＬＥＤ３５１が実装された基板３５の切欠き３５２にねじ３５３を通し、取付台３４のねじ孔３４１に締結して、基板３５を取付台３４に取り付ける。この取付台３４をパッキン３３の側壁３３２の内側に嵌合させ、取付台３４およびパッキン３３をベース３１の凹部３１１に嵌める。
次いで、基板２５、取付台３４およびパッキン３３をレンズ３２が内包するようにして、レンズ３２の支持部３２１の凸部３２６をパッキン３３の側壁３３２の凹部３３３に嵌合させて、支持部３２１の上面をベース３１の下面外周縁に当接させる。この状態で、ねじ３１４をベース３１の貫通孔３１３に挿通し、レンズ３２の支持部３２１の上面に設けられているねじ孔（図示省略）に締結して、ＬＥＤユニット３０を一体化する。
【００１９】
さらに、一体化されたＬＥＤユニット３０を器具本体２０の下面に取り付ける際には、ベース３１のピン３１２（図３（Ａ）参照）を器具本体２０の下面の位置決め孔（図示省略）に挿嵌して位置決めする。
そして、ねじ３２５を、レンズ３２の切欠き３２４を通してベース３１の貫通孔３１５に通し、さらに器具本体２０の下面に設けられているねじ孔（図示省略）に締結して取り付けられる。
【００２０】
このように構成することにより、ＬＥＤ３５１が発した熱は、基板３５から取付台３４に伝達され、熱伝導性を有するパッキン３３の円板部３３１を介してベース３１に伝達される（図３（Ａ）中矢印Ａ参照）。
また、一部は、パッキン３３の側壁３３２を介してベース３１に伝達される（図３（Ａ）中矢印Ｂ参照）。
さらに、ベース３１から、ＬＥＤユニット３０が取り付けられている器具本体２０に伝達され、器具本体２０から外部に放熱される。
【００２１】
また、図３（Ｂ）において矢印で示すように、ベース３１とレンズ３２との接触面から浸入しようとする水分は、パッキン３３の側壁３３２に達すると、側壁３３２により止水される。さらに浸入した場合には、側壁３３２の凹部３３３とレンズ３２の凸部３２６との協働により、止水する。
【００２２】
以上、説明した本発明に係る実施形態のＬＥＤ照明器具１０によれば、照射方向前方にレンズ３２を有するＬＥＤ３５１が実装される基板３５は、取付台３４に取り付けられ、取付台３４は、パッキン３３を介してベース３１に取り付けられる。
ここで、パッキン３３には、取付台３４を内包するように周縁を立ち上げて、レンズ３２の上面に密着する側壁３３２を設けたので、ＬＥＤ照明器具１０の内部に浸入しようとする水分が側壁３３２により阻止される。また、パッキン３３は熱伝導性をも有するので、コンパクト化を阻害することなく、防水性と同時に熱伝導性が確保される。
【００２３】
また、レンズ３２の上面に照射方向反対側に突出する凸部３２６を設けるとともに、側壁３３２に凸部３２６が嵌合する凹部３３３を設けたので、水分等の浸入を確実に防止できる。
【００２４】
なお、本発明のＬＥＤ照明器具は、前述した実施形態に限定されるものでなく、適宜な変形，改良等が可能である。
【符号の説明】
【００２５】
１０  ＬＥＤ照明器具
３１  ベース
３２  レンズ（光学部材）
３２６  凸部
３３  パッキン
３３２  側壁
３３３  凹部（嵌合部）
３４  取付台
３５  基板
３５１  ＬＥＤ（ＬＥＤ光源）
【図１】
2013143282.tif 000003
【図２】
2013143282.tif 000004
【図３】
2013143282.tif 000005
【図４】
2013143282.tif 000006
【図５】
2013143282.tif 000007